(57)【要約】【課題】８倍程度以上の高変倍比を備えながらも、コンパクトで、諸収差の発生が抑制できる高性能なズームレンズを提供すること。【解決手段】第１レンズ群１１０は、物体側から順に、負レンズ１１１、正レンズ１１２、および正レンズ１１３が配置されて構成され、全体として正の屈折力を備える。第２レンズ群１２０は、物体側から順に、負レンズ１２１、負レンズ１２２、正レンズ１２３、および負レンズ１２４が配置されて構成され、全体として負の屈折力を備える。第３レンズ群１３０は、物体側から順に、正レンズ１３１、正レンズ１３２、および負レンズ１３３が配置されて構成され、全体として正の屈折力を備える。正レンズ１３１の両面と、負レンズ１３３の像面１６０側面には、非球面が形成されている。第４レンズ群１４０は、物体側から順に、正レンズ１４１、負レンズ１４２が配置されて構成され、全体として正の屈折力を備える。【選択図】        図１
2007065364.tif 000002
【特許請求の範囲】
【請求項１】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記ズームレンズ全系の望遠端における焦点距離をｆｔ、前記第２レンズ群の焦点距離をｆ２とするとき、
ＯＶＬ／ｆｗ＞１１．８
かつ
ｆｔ／｜ｆ２｜＜８．０
を満足することを特徴とするズームレンズ。
【請求項２】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記第１レンズ群の焦点距離をｆ１、前記第２レンズ群の焦点距離をｆ２とするとき、
ＯＶＬ／ｆｗ＞１１．８
かつ
ｆ１／ｆ２＜−５.１
を満足することを特徴とするズームレンズ。
【請求項３】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記ズームレンズを構成する第ｉレンズのアッベ数をνｄi（ｉ＝１，２，３，・・・）とするとき、
ＯＶＬ／ｆｗ＞１１．８
かつ
２５＜νｄi＜４１
を満足することを特徴とするズームレンズ。
【請求項４】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記ズームレンズを構成する第ｉレンズの屈折率をｎｄi（ｉ＝１，２，３，・・・）とするとき、
ＯＶＬ／ｆｗ＞１１．８
かつ
ｎｄi＞１．８８
を満足することを特徴とするズームレンズ。
【請求項５】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記ズームレンズ全系の望遠端における焦点距離をｆｔ、前記第１レンズ群の焦点距離をｆ１、前記第２レンズ群の焦点距離をｆ２とするとき、
ＯＶＬ／ｆｗ＞１１．８
かつ
ｆｔ／｜ｆ２｜＜８．０
かつ
ｆ１／ｆ２＜−５.１
を満足することを特徴とするズームレンズ。
【請求項６】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記ズームレンズ全系の望遠端における焦点距離をｆｔ、前記第２レンズ群の焦点距離をｆ２、前記ズームレンズを構成する第ｉレンズのアッベ数をνｄi（ｉ＝１，２，３，・・・）とするとき、
ＯＶＬ／ｆｗ＞１１．８
かつ
ｆｔ／｜ｆ２｜＜８．０
かつ
２５＜νｄi＜４１
を満足することを特徴とするズームレンズ。
【請求項７】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記ズームレンズ全系の望遠端における焦点距離をｆｔ、前記第２レンズ群の焦点距離をｆ２、前記ズームレンズを構成する第ｉレンズの屈折率をｎｄi（ｉ＝１，２，３，・・・）とするとき、
ＯＶＬ／ｆｗ＞１１．８
かつ
ｆｔ／｜ｆ２｜＜８．０
かつ
ｎｄi＞１．８８
を満足することを特徴とするズームレンズ。
【請求項８】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記第１レンズ群の焦点距離をｆ１、前記第２レンズ群の焦点距離をｆ２、前記ズームレンズを構成する第ｉレンズのアッベ数をνｄi（ｉ＝１，２，３，・・・）とするとき、
ＯＶＬ／ｆｗ＞１１．８
かつ
ｆ１／ｆ２＜−５.１
かつ
２５＜νｄi＜４１
を満足することを特徴とするズームレンズ。
【請求項９】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記第１レンズ群の焦点距離をｆ１、前記第２レンズ群の焦点距離をｆ２、前記ズームレンズを構成する第ｉレンズの屈折率をｎｄi（ｉ＝１，２，３，・・・）とするとき、
ＯＶＬ／ｆｗ＞１１．８
かつ
ｆ１／ｆ２＜−５.１
かつ
ｎｄi＞１．８８
を満足することを特徴とするズームレンズ。
【請求項１０】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記ズームレンズを構成する第ｉレンズのアッベ数をνｄi（ｉ＝１，２，３，・・・）、前記ズームレンズを構成する第ｉレンズの屈折率をｎｄi（ｉ＝１，２，３，・・・）とするとき、
ＯＶＬ／ｆｗ＞１１．８
かつ
２５＜νｄi＜４１
かつ
ｎｄi＞１．８８
を満足することを特徴とするズームレンズ。
【請求項１１】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記ズームレンズ全系の望遠端における焦点距離をｆｔ、前記第１レンズ群の焦点距離をｆ１、前記第２レンズ群の焦点距離をｆ２、前記ズームレンズを構成する第ｉレンズのアッベ数をνｄi（ｉ＝１，２，３，・・・）とするとき、
ＯＶＬ／ｆｗ＞１１．８
かつ
ｆｔ／｜ｆ２｜＜８．０
かつ
ｆ１／ｆ２＜−５.１
かつ
２５＜νｄi＜４１
を満足することを特徴とするズームレンズ。
【請求項１２】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記ズームレンズ全系の望遠端における焦点距離をｆｔ、前記第１レンズ群の焦点距離をｆ１、前記第２レンズ群の焦点距離をｆ２、前記ズームレンズを構成する第ｉレンズの屈折率をｎｄi（ｉ＝１，２，３，・・・）とするとき、
ＯＶＬ／ｆｗ＞１１．８
かつ
ｆｔ／｜ｆ２｜＜８．０
かつ
ｆ１／ｆ２＜−５.１
かつ
ｎｄi＞１．８８
を満足することを特徴とするズームレンズ。
【請求項１３】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記ズームレンズ全系の望遠端における焦点距離をｆｔ、前記第２レンズ群の焦点距離をｆ２、前記ズームレンズを構成する第ｉレンズのアッベ数をνｄi（ｉ＝１，２，３，・・・）、前記ズームレンズを構成する第ｉレンズの屈折率をｎｄi（ｉ＝１，２，３，・・・）とするとき、
ＯＶＬ／ｆｗ＞１１．８
かつ
ｆｔ／｜ｆ２｜＜８．０
かつ
２５＜νｄi＜４１
かつ
ｎｄi＞１．８８
を満足することを特徴とするズームレンズ。
【請求項１４】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記第１レンズ群の焦点距離をｆ１、前記第２レンズ群の焦点距離をｆ２、前記ズームレンズを構成する第ｉレンズのアッベ数をνｄi（ｉ＝１，２，３，・・・）、前記ズームレンズを構成する第ｉレンズの屈折率をｎｄi（ｉ＝１，２，３，・・・）とするとき、
ＯＶＬ／ｆｗ＞１１．８
かつ
ｆ１／ｆ２＜−５.１
かつ
２５＜νｄi＜４１
かつ
ｎｄi＞１．８８
を満足することを特徴とするズームレンズ。
【請求項１５】
物体側から順に配置された、正の屈折力を有する第１レンズ群と、負の屈折力を有する第２レンズ群と、を含む複数のレンズ群で構成されたズームレンズであって、
前記ズームレンズの全長をＯＶＬ、前記ズームレンズ全系の広角端における焦点距離をｆｗ、前記ズームレンズ全系の望遠端における焦点距離をｆｔ、前記第１レンズ群の焦点距離をｆ１、前記第２レンズ群の焦点距離をｆ２、前記ズームレンズを構成する第ｉレンズのアッベ数をνｄi（ｉ＝１，２，３，・・・）、前記ズームレンズを構成する第ｉレンズの屈折率をｎｄi（ｉ＝１，２，３，・・・）とするとき、
ＯＶＬ／ｆｗ＞１１．８
かつ
ｆｔ／｜ｆ２｜＜８．０
かつ
ｆ１／ｆ２＜−５.１
かつ
２５＜νｄi＜４１
かつ
ｎｄi＞１．８８
を満足することを特徴とするズームレンズ。
【請求項１６】
広角端から望遠端への変倍に際し、前記第１レンズ群と前記第２レンズ群との間隔を増大させることを特徴とする請求項１〜１５のいずれか一つに記載のズームレンズ。
【発明の詳細な説明】
【技術分野】
【０００１】
この発明は、ＣＣＤなどの撮像素子を備えたデジタルカメラやビデオカメラなどに搭載されるズームレンズに関し、特に８倍程度以上の高変倍比を備えたズームレンズに関する。
【背景技術】
【０００２】
従来より、デジタルカメラやビデオカメラなどに搭載するための、８倍程度の高変倍比を備えたズームレンズが数多く提案されている（たとえば、特許文献１，２を参照。）。
【０００３】
たとえば、特許文献１に記載のズームレンズは、物体側から順に、正の屈折力を有する第１群、負の屈折力を有し変倍時に可動の第２群の２つの群からなる変倍系と、正の屈折力を有する第３群、正の屈折力を有し変倍時及び焦点調節のために可動の第４群の２つの群からなる結像系とから構成される。
【０００４】
第３群は、物体側から、物体側の面が凸面である正レンズ２枚と１枚の負レンズとで構成され、かつ、第３群のレンズ面の中、少なくとも１面が光軸から離れるに従って正の屈折力が弱くなる非球面である。また、第４群は正レンズ１枚のみで構成され、第４群のレンズ面の中、少なくとも１面が光軸から離れるに従って正の屈折力が弱くなる非球面である。さらに、結像系のコンジュゲートを短く、かつ変倍系と機械的干渉を起こさないようにする以下の４つの条件式を満足することを特徴とするものである。
【０００５】
０．９＜ｆ3／（ｆw・ｆt）1/2＜１．３
０．５＜｜ｆ3-3｜／ｆ3＜０．９
−０．１＜β4s＜０．３
０．７＜β4t／β4w＜１．５
【０００６】
ただし、ｆw、ｆtはそれぞれ広角端、望遠端の全系の焦点距離、ｆ3は第３群の合成焦点距離、ｆ3-3は第３群の負レンズの焦点距離、β4sは全系の焦点距離が（ｆw・ｆt）1/2、無限遠物点合焦時の第４群の倍率、β4w、β4tはそれぞれ全系の焦点距離がｆw、ｆtでの無限遠物点合焦時の第４群の倍率、である。
【０００７】
【特許文献１】特開平５−２７１６７号公報
【特許文献２】特開平７−２０３８１号公報
【発明の開示】
【発明が解決しようとする課題】
【０００８】
しかしながら、上記各特許文献に記載のズームレンズをはじめとする従来技術は、近年主流となった画素数の多い撮像素子を備えたビデオカメラなどに用いる場合、広角端から望遠端までに至る変倍の際に発生する諸収差を良好に補正することが困難になるという問題がある。特に、望遠端における諸収差の発生が顕著になり、なかでも色収差の発生が目立つ。この色収差を補正するためには、ズームレンズの前玉径を大きくして、全長も長くしなければならず、ズームレンズが大型化してしまうといった別の問題も生じる。
【０００９】
この発明は、上述した従来技術による問題点を解消するため、８倍程度以上の高変倍比を備えながらも、構成が簡易でコンパクトなズームレンズを提供することを目的とする。加えて、諸収差の発生を抑制できる高性能なズームレンズを提供することも、この発明の目的である。
【課題を解決するための手段】
【００１０】
上述した課題を解決し、目的を達成するため、この発明の請求項１にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記ズームレンズ全系の望遠端における焦点距離をｆｔ、前記第２レンズ群の焦点距離をｆ２とするとき、
ＯＶＬ／ｆｗ＞１１．８
かつ
ｆｔ／｜ｆ２｜＜８．０
を満足することを特徴とする。
【００１１】
この請求項１に記載の発明によれば、８倍程度以上の高変倍比を備えながらも、前玉径が小さく、全長が短いズームレンズを提供することができる。
【００１２】
また、この発明の請求項２にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記第１レンズ群の焦点距離をｆ１、前記第２レンズ群の焦点距離をｆ２とするとき、
ＯＶＬ／ｆｗ＞１１．８
かつ
ｆ１／ｆ２＜−５.１
を満足することを特徴とする。
【００１３】
この請求項２に記載の発明によれば、８倍程度以上の高変倍比を備えながらも、全長が短いズームレンズを提供することができる。
【００１４】
また、この発明の請求項３にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記ズームレンズを構成する第ｉレンズのアッベ数をνｄi（ｉ＝１，２，３，・・・）とするとき、
ＯＶＬ／ｆｗ＞１１．８
かつ
２５＜νｄi＜４１
を満足することを特徴とする。
【００１５】
この請求項３に記載の発明によれば、８倍程度以上の高変倍比を備えながらも、前玉径が小さく、色収差（特に望遠端側）の発生を抑制する高性能なズームレンズを提供することができる。
【００１６】
また、この発明の請求項４にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記ズームレンズを構成する第ｉレンズの屈折率をｎｄi（ｉ＝１，２，３，・・・）とするとき、
ＯＶＬ／ｆｗ＞１１．８
かつ
ｎｄi＞１．８８
を満足することを特徴とする。
【００１７】
この請求項４に記載の発明によれば、８倍程度以上の高変倍比を備えながらも、前玉径が小さく、諸収差の発生を抑制する高性能なズームレンズを提供することができる。
【００１８】
また、この発明の請求項５にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記ズームレンズ全系の望遠端における焦点距離をｆｔ、前記第１レンズ群の焦点距離をｆ１、前記第２レンズ群の焦点距離をｆ２とするとき、
ＯＶＬ／ｆｗ＞１１．８
かつ
ｆｔ／｜ｆ２｜＜８．０
かつ
ｆ１／ｆ２＜−５.１
を満足することを特徴とする。
【００１９】
この請求項５に記載の発明によれば、８倍程度以上の高変倍比を備えながらも、前玉径が小さく、全長が短いズームレンズを提供することができる。
【００２０】
また、この発明の請求項６にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記ズームレンズ全系の望遠端における焦点距離をｆｔ、前記第２レンズ群の焦点距離をｆ２、前記ズームレンズを構成する第ｉレンズのアッベ数をνｄi（ｉ＝１，２，３，・・・）とするとき、
ＯＶＬ／ｆｗ＞１１．８
かつ
ｆｔ／｜ｆ２｜＜８．０
かつ
２５＜νｄi＜４１
を満足することを特徴とする。
【００２１】
この請求項６に記載の発明によれば、８倍程度以上の高変倍比を備えながらも、前玉径が小さく、全長が短いズームレンズを提供することができる。加えて、色収差（特に望遠端側）の発生が抑制できる高性能なズームレンズを提供することもできる。
【００２２】
また、この発明の請求項７にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記ズームレンズ全系の望遠端における焦点距離をｆｔ、前記第２レンズ群の焦点距離をｆ２、前記ズームレンズを構成する第ｉレンズの屈折率をｎｄi（ｉ＝１，２，３，・・・）とするとき、
ＯＶＬ／ｆｗ＞１１．８
かつ
ｆｔ／｜ｆ２｜＜８．０
かつ
ｎｄi＞１．８８
を満足することを特徴とする。
【００２３】
この請求項７に記載の発明によれば、８倍程度以上の高変倍比を備えながらも、前玉径が小さく、全長が短いズームレンズを提供することができる。加えて、諸収差の発生が抑制できる高性能なズームレンズを提供することもできる。
【００２４】
また、この発明の請求項８にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記第１レンズ群の焦点距離をｆ１、前記第２レンズ群の焦点距離をｆ２、前記ズームレンズを構成する第ｉレンズのアッベ数をνｄi（ｉ＝１，２，３，・・・）とするとき、
ＯＶＬ／ｆｗ＞１１．８
かつ
ｆ１／ｆ２＜−５.１
かつ
２５＜νｄi＜４１
を満足することを特徴とする。
【００２５】
この請求項８に記載の発明によれば、８倍程度以上の高変倍比を備えながらも、前玉径が小さく、全長が短いズームレンズを提供することができる。加えて、色収差（特に望遠端側）の発生が抑制できる高性能なズームレンズを提供することもできる。
【００２６】
また、この発明の請求項９にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記第１レンズ群の焦点距離をｆ１、前記第２レンズ群の焦点距離をｆ２、前記ズームレンズを構成する第ｉレンズの屈折率をｎｄi（ｉ＝１，２，３，・・・）とするとき、
ＯＶＬ／ｆｗ＞１１．８
かつ
ｆ１／ｆ２＜−５.１
かつ
ｎｄi＞１．８８
を満足することを特徴とする。
【００２７】
この請求項９に記載の発明によれば、８倍程度以上の高変倍比を備えながらも、前玉径が小さく、全長が短いズームレンズを提供することができる。加えて、諸収差の発生が抑制できる高性能なズームレンズを提供することもできる。
【００２８】
また、この発明の請求項１０にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記ズームレンズを構成する第ｉレンズのアッベ数をνｄi（ｉ＝１，２，３，・・・）、前記ズームレンズを構成する第ｉレンズの屈折率をｎｄi（ｉ＝１，２，３，・・・）とするとき、
ＯＶＬ／ｆｗ＞１１．８
かつ
２５＜νｄi＜４１
かつ
ｎｄi＞１．８８
を満足することを特徴とする。
【００２９】
この請求項１０に記載の発明によれば、８倍程度以上の高変倍比を備えながらも、前玉径が小さく、諸収差の発生が抑制できる高性能なズームレンズを提供することができる。
【００３０】
また、この発明の請求項１１にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記ズームレンズ全系の望遠端における焦点距離をｆｔ、前記第１レンズ群の焦点距離をｆ１、前記第２レンズ群の焦点距離をｆ２、前記ズームレンズを構成する第ｉレンズのアッベ数をνｄi（ｉ＝１，２，３，・・・）とするとき、
ＯＶＬ／ｆｗ＞１１．８
かつ
ｆｔ／｜ｆ２｜＜８．０
かつ
ｆ１／ｆ２＜−５.１
かつ
２５＜νｄi＜４１
を満足することを特徴とする。
【００３１】
この請求項１１に記載の発明によれば、８倍程度以上の高変倍比を備えながらも、前玉径が小さく、全長が短いズームレンズを提供することができる。加えて、色収差（特に望遠端側）の発生が抑制できる高性能なズームレンズを提供することもできる。
【００３２】
また、この発明の請求項１２にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記ズームレンズ全系の望遠端における焦点距離をｆｔ、前記第１レンズ群の焦点距離をｆ１、前記第２レンズ群の焦点距離をｆ２、前記ズームレンズを構成する第ｉレンズの屈折率をｎｄi（ｉ＝１，２，３，・・・）とするとき、
ＯＶＬ／ｆｗ＞１１．８
かつ
ｆｔ／｜ｆ２｜＜８．０
かつ
ｆ１／ｆ２＜−５.１
かつ
ｎｄi＞１．８８
を満足することを特徴とする。
【００３３】
この請求項１２に記載の発明によれば、８倍程度以上の高変倍比を備えながらも、前玉径が小さく、全長が短いズームレンズを提供することができる。加えて、諸収差の発生が抑制できる高性能なズームレンズを提供することもできる。
【００３４】
この発明の請求項１３にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記ズームレンズ全系の望遠端における焦点距離をｆｔ、前記第２レンズ群の焦点距離をｆ２、前記ズームレンズを構成する第ｉレンズのアッベ数をνｄi（ｉ＝１，２，３，・・・）、前記ズームレンズを構成する第ｉレンズの屈折率をｎｄi（ｉ＝１，２，３，・・・）とするとき、
ＯＶＬ／ｆｗ＞１１．８
かつ
ｆｔ／｜ｆ２｜＜８．０
かつ
２５＜νｄi＜４１
かつ
ｎｄi＞１．８８
を満足することを特徴とする。
【００３５】
この請求項１３に記載の発明によれば、８倍程度以上の高変倍比を備えながらも、前玉径が小さく、全長が短いズームレンズを提供することができる。加えて、諸収差の発生が抑制できる高性能なズームレンズを提供することもできる。
【００３６】
また、この発明の請求項１４にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記第１レンズ群の焦点距離をｆ１、前記第２レンズ群の焦点距離をｆ２、前記ズームレンズを構成する第ｉレンズのアッベ数をνｄi（ｉ＝１，２，３，・・・）、前記ズームレンズを構成する第ｉレンズの屈折率をｎｄi（ｉ＝１，２，３，・・・）とするとき、
ＯＶＬ／ｆｗ＞１１．８
かつ
ｆ１／ｆ２＜−５.１
かつ
２５＜νｄi＜４１
かつ
ｎｄi＞１．８８
を満足することを特徴とする。
【００３７】
この請求項１４に記載の発明によれば、８倍程度以上の高変倍比を備えながらも、前玉径が小さく、全長が短いズームレンズを提供することができる。加えて、諸収差の発生が抑制できる高性能なズームレンズを提供することもできる。
【００３８】
また、この発明の請求項１５にかかるズームレンズは、物体側から順に配置された、正の屈折力を有する第１レンズ群と、負の屈折力を有する第２レンズ群と、を含む複数のレンズ群で構成されたズームレンズであって、前記ズームレンズの全長をＯＶＬ、前記ズームレンズ全系の広角端における焦点距離をｆｗ、前記ズームレンズ全系の望遠端における焦点距離をｆｔ、前記第１レンズ群の焦点距離をｆ１、前記第２レンズ群の焦点距離をｆ２、前記ズームレンズを構成する第ｉレンズのアッベ数をνｄi（ｉ＝１，２，３，・・・）、前記ズームレンズを構成する第ｉレンズの屈折率をｎｄi（ｉ＝１，２，３，・・・）とするとき、
ＯＶＬ／ｆｗ＞１１．８
かつ
ｆｔ／｜ｆ２｜＜８．０
かつ
ｆ１／ｆ２＜−５.１
かつ
２５＜νｄi＜４１
かつ
ｎｄi＞１．８８
を満足することを特徴とする。
【００３９】
この請求項１５に記載の発明によれば、８倍程度以上の高変倍比を備えながらも、構成が簡易でコンパクトなズームレンズを提供することができる。加えて、諸収差の発生が抑制できる高性能なズームレンズを提供することもできる。
【００４０】
また、この発明の請求項１６にかかるズームレンズは、請求項１〜１５のいずれか一つに記載の発明において、広角端から望遠端への変倍に際し、前記第１レンズ群と前記第２レンズ群との間隔を増大させることを特徴とする。
【００４１】
この請求項１６に記載の発明によれば、変倍を第１レンズ群と第２レンズ群により実行できるので、ズームレンズの全長が増大することを抑制でき、コンパクトなズームレンズを提供することができる。
【発明の効果】
【００４２】
この発明によれば、８倍程度以上の高変倍比を備えながらも、構成が簡易でコンパクトなズームレンズを提供することができるという効果を奏する。また、諸収差の発生が抑制できる高性能なズームレンズを提供することができるという効果も奏する。
【発明を実施するための最良の形態】
【００４３】
以下、この発明にかかるズームレンズの好適な実施の形態を詳細に説明する。
【００４４】
この発明の実施の形態にかかるズームレンズは、物体側から順に配置された、正の屈折力を有する第１レンズ群、負の屈折力を有する第２レンズ群、正の屈折力を有する第３レンズ群、および正の屈折力を有する第４レンズ群を含み構成される。このズームレンズでは、可動するのは前記第２レンズ群と前記第４レンズ群であり、前記第１レンズ群と前記第３レンズ群は可動せず、固定されている。
【００４５】
そして、このズームレンズは、広角端から望遠端への変倍に際し、前記第１レンズ群と前記第２レンズ群との間隔が増大するように、前記第２レンズ群を像面側へ移動させる。このようにして、必要最小限のレンズ群を移動させて変倍を実行することで、ズームレンズの全長が長くなるのを抑制している。また、前記第４レンズ群は、広角端から望遠端への変倍に際し、一旦物体側へ移動した後、像面側へ移動するＵターン軌跡をたどるようにしてフォーカシングを行う。このため、前記第３レンズ群より像面側のスペースを有効に利用できるようになり、ズームレンズの結像系の小型化が達成できる。
【００４６】
この発明は、コンパクトなデジタルカメラやビデオカメラなどに用いることができるズームレンズを提供することを目的としている。このためには、レンズの小型化はもとより、小型で画素数の多い撮像素子の性能に合った高い光学性能を備えることが必要になる。
【００４７】
そこで、まず、このズームレンズの全長をＯＶＬ、このズームレンズの広角端における焦点距離をｆｗとするとき、次の条件式を満足することが好ましい。
ＯＶＬ／ｆｗ＞１１．８      ・・・（１）
【００４８】
この条件式（１）は、８倍程度以上の高変倍化を実現するための条件を規定する式である。ＯＶＬ／ｆｗの値が１１．８以下になると、ズームレンズを構成する各レンズ群の焦点距離が短くなりすぎ、高変倍化を実現することが困難になるため、好ましくない。
【００４９】
また、一般に、ズームレンズをデジタルカメラやビデオカメラなどに用いる場合には、ズームレンズの最も像面側の面と像面との間にカバーガラスが配置されることがある。この場合、前記カバーガラスを含めたこのズームレンズの全長をＯＶＬ’、このズームレンズの広角端における焦点距離をｆｗとするとき、次の条件式を満足することが好ましい。
ＯＶＬ’ ／ｆｗ＞１２．０      ・・・（１）’
【００５０】
さらに、この実施の形態ズームレンズの望遠端における焦点距離をｆｔ、前記第２レンズ群の焦点距離をｆ２とするとき、次の条件式を満足することが好ましい。
ｆｔ／｜ｆ２｜＜８．０      ・・・（２）
【００５１】
この条件式（２）は、このズームレンズの前玉径を小さくするとともに、全長を抑制するための条件を規定する式である。ｆｔ／｜ｆ２｜の値が、８．０以上になると、変倍の際の前記第２レンズ群の移動量が増大し、また前玉径も大きくなって、ズームレンズの小型化が達成できなくなる。
【００５２】
また、この実施の形態のズームレンズは、前記第１レンズ群の焦点距離をｆ１、前記第２レンズ群の焦点距離をｆ２とするとき、次の条件式を満足することが好ましい。
ｆ１／ｆ２＜−５.１      ・・・（３）
【００５３】
この条件式（３）は、変倍時の前記第２レンズ群の移動量を抑制し、ズームレンズの全長を短縮するための条件を規定する式である。ｆ１／ｆ２の値が−５.１以上になると、変倍時の前記第２レンズ群の移動量が大きくなりすぎ、ズームレンズの小型化に支障をきたす。
【００５４】
また、この実施の形態のズームレンズを構成する第ｉレンズのアッベ数をνｄi（ｉ＝１，２，３，・・・）とするとき、次の条件式を満足することが好ましい。
２５＜νｄi＜４１      ・・・（４）
【００５５】
この条件式（４）は、ズームレンズの前玉径を小さくするとともに、色収差（特に望遠端側）の発生を抑制するための条件を規定する式である。νｄiの値が、条件式（４）で規定された範囲から外れると、ズームレンズの前玉径が大きくなり、十分な小型化が達成できない。また、色収差を十分に補正することもできない。
【００５６】
さらに、この実施の形態のズームレンズを構成する第ｉレンズの屈折率をｎｄi（ｉ＝１，２，３，・・・）とするとき、次の条件式を満足することが好ましい。
ｎｄi＞１．８８      ・・・（５）
【００５７】
この条件式（５）は、ズームレンズの前玉径を小さくするとともに、諸収差の発生を抑制するための条件を規定する式である。ｎｄiの値が、１．８８以下になると、ズームレンズの前玉径が大きくなり、十分な小型化が達成できない。また、諸収差を十分に補正することもできない。
【００５８】
この実施の形態のズームレンズは、上記条件式（１），（２）を満足することで、ズームレンズを構成する各レンズ群の焦点距離を適切に設定し、ズームレンズの高変倍化を実現するとともに、ズームレンズの前玉径の小型化と全長の短縮化を実現することができる。
【００５９】
また、上記条件式（１），（２）に加えて，さらに上記条件式（３）を満足することで、変倍時における前記第２レンズ群の移動量を抑制してさらなるズームレンズの全長の短縮化を達成することができる。
【００６０】
また、上記条件式（１）〜（３）に加えて、上記条件式（４）を満足することで、さらにズームレンズの前玉径を小さくし、色収差（特に望遠端側）の発生を抑制することができるようになる。
【００６１】
また、上記条件式（１）〜（４）に加えて、さらに上記条件式（５）を満足することで、諸収差の発生を抑制することが可能になる。たとえば、カラー撮像素子を用いる場合に生じるシェーディングや色ずれの防止に優れた効果が期待できる。
【００６２】
これまで説明したように、この実施の形態のズームレンズは、上記条件式（１）〜（５）をすべて満足すれば、高変倍化が達成された、コンパクトで高性能なズームレンズを提供することができ、理想的である。しかしながら、上記条件式（１）〜（５）をすべて満足しなくても、上記条件式（１）に加え、上記条件式（２）〜（５）のなかのいくつかを満足することで有用なズームレンズを提供することが可能になる。
【００６３】
たとえば、前述した組み合わせのほかに、上記条件式（１），（３）を満足することで、ズームレンズを構成する各レンズ群の焦点距離を適切に設定し、高変倍化を実現するとともに、変倍時における前記第２レンズ群の移動量を抑制して、ズームレンズの全長の短縮化を達成することができる。
【００６４】
また、この実施の形態のズームレンズは、上記条件式（１），（４）を満足することで、ズームレンズを構成する各レンズ群の焦点距離を適切に設定し、高変倍化を実現するとともに、ズームレンズの前玉径を小さくし、色収差（特に望遠端側）の発生を抑制することができる。
【００６５】
また、この実施の形態のズームレンズは、上記条件式（１），（５）を満足することで、ズームレンズを構成する各レンズ群の焦点距離を適切に設定し、高変倍化を実現するとともに、ズームレンズの前玉径を小さくし、諸収差の発生を抑制することができる。
【００６６】
なお、この実施の形態のズームレンズにおいて、当該ズームレンズの最終面と像面との間にカバーガラスが配置されているような場合には、上記条件式（１）に代えて上記条件（１）’を満足するように構成する必要がある。
【００６７】
また、この実施の形態のズームレンズを非球面が形成されたレンズを含んで構成すれば、少ないレンズ枚数で、諸収差を良好に補正することが可能になる。
【００６８】
また、この実施の形態にかかるズームレンズは、上記各条件式（１）〜（５）を満足しさえすれば、前記第１レンズ群と前記第２レンズ群のみで構成しても、前述したこの発明の目的は達成できる。
【実施例】
【００６９】
以下、この発明の実施例を示す。
【００７０】
（実施例１）
図１は、この発明の実施例１にかかるズームレンズの構成を示す光軸に沿う断面図である。このズームレンズは、図示しない物体側から順に、正の屈折力を有する第１レンズ群１１０、負の屈折力を有する第２レンズ群１２０、正の屈折力を有する第３レンズ群１３０、および正の屈折力を有する第４レンズ群１４０が配置されて構成される。また、第２レンズ群１２０と第３レンズ群１３０の間には絞り１５０が配置されている。第４レンズ群１４０と像面１６０との間には、カバーガラス１７０が配置されている。なお、このカバーガラス１７０は必須のものではなく、省略も可能である。
【００７１】
第１レンズ群１１０は、前記物体側から順に、負レンズ１１１、正レンズ１１２、および正レンズ１１３が配置されて構成される。第２レンズ群１２０は、前記物体側から順に、負レンズ１２１、負レンズ１２２、正レンズ１２３、および負レンズ１２４が配置されて構成される。第３レンズ群１３０は、前記物体側から順に、正レンズ１３１、正レンズ１３２、および負レンズ１３３が配置されて構成される。正レンズ１３１の両面（第１４面、第１５面）と、負レンズ１３３の像面１６０側面（第１９面）には、非球面が形成されている。第４レンズ群１４０は、前記物体側から順に、正レンズ１４１、負レンズ１４２が配置されて構成される。
【００７２】
この実施例１にかかるズームレンズは、上記のように４群１２枚のコンパクトなレンズ構成となっている。温度変化の影響を受けにくい位置に配置されるレンズは、製造コストの低減を図るため、プラスチック材で成型するとよい。たとえば、像面１６０に近い第３レンズ群１３０や第４レンズ群１４０を構成する各レンズがそれに該当する。
【００７３】
このズームレンズでは、第２レンズ群１２０を光軸に沿う方向に移動させることで変倍を行う。具体的には、第１レンズ群１１０と前記第２レンズ群１２０との間隔が増大するように、第２レンズ群１２０を像面１６０側へ移動させることによって、広角端から望遠端への変倍を行う。また、このズームレンズでは、第４レンズ群１４０を光軸に沿う方向に移動させることによって、フォーカシングを行う。具体的には、広角端から望遠端への変倍に連動させ、第４レンズ群１４０を一旦前記物体側へ移動させた後、像面１６０側へ移動させることによってフォーカシングを行う。
【００７４】
以下、実施例１にかかるズームレンズに関する各種数値データを示す。
【００７５】
実施例１のズームレンズの全長（ＯＶＬ）＝78.68
実施例１のズームレンズ（カバーガラス１７０を含む）の全長（ＯＶＬ’）＝79.02
実施例１のズームレンズ全系の広角端における焦点距離（ｆｗ）＝6.5
実施例１のズームレンズ全系の望遠端における焦点距離（ｆｔ）＝61.75
Ｆナンバ＝3.3
第１レンズ群１１０の焦点距離（ｆ１）＝40.4
第２レンズ群１２０の焦点距離（ｆ２）＝-7.96
第３レンズ群１３０の焦点距離（ｆ３）＝26.50
第４レンズ群１４０の焦点距離（ｆ４）＝18.1
【００７６】
ｒ1＝52.29
ｄ1＝1.2    ｎｄ1＝2.02    νｄ1＝25.3
ｒ2＝30.63
ｄ2＝4.1    ｎｄ2＝1.50    νｄ2＝81.6
ｒ3＝-219.5
ｄ3＝0.2
ｒ4＝27.64
ｄ4＝3.4    ｎｄ3＝1.73    νｄ3＝54.7
ｒ5＝105.76
ｄ5＝0.85(広角端)〜14.90(中間端)〜23.14（望遠端）
ｒ6＝33.71
ｄ6＝0.6    ｎｄ4＝1.88    νｄ4＝40.8
ｒ7＝9.02
ｄ7＝4.04
ｒ8＝-23.19
ｄ8＝0.6    ｎｄ5＝1.59    νｄ5＝61.3
ｒ9＝11.08
ｄ9＝2.3    ｎｄ6＝1.85    νｄ6＝23.8
ｒ10＝338.43
ｄ10＝1.83
ｒ11＝-12.33
ｄ11＝0.8    ｎｄ7＝1.49    νｄ7＝70.4
ｒ12＝-66.12
ｄ12＝24.17(広角端)〜10.13(中間端)〜1.89（望遠端）
ｒ13＝∞（絞り）
ｄ13＝1.6
ｒ14＝8.01（非球面）
ｄ14＝2.2    ｎｄ8＝1.58    νｄ8＝59.5
ｒ15＝-111.8（非球面）
ｄ15＝0.3
ｒ16＝9.78
ｄ16＝1.6    ｎｄ9＝1.49    νｄ9＝81.6
ｒ17＝40.77
ｄ17＝0.6    ｎｄ10＝1.88    νｄ10＝40.8
ｒ18＝6.80
ｄ18＝8.79(広角端) 〜4.12(中間端)〜6.83（望遠端）
ｒ19＝15.36（非球面）
ｄ19＝3.5    ｎｄ11＝1.58    νｄ11＝59.5
ｒ20＝-11.04
ｄ20＝2.0    ｎｄ12＝1.92    νｄ12＝20.9
ｒ21＝-18.38
ｄ21＝2.83(広角端) 〜7.50(中間端)〜4.77（望遠端）
ｒ22＝∞
ｄ22＝1.0    ｎｄ13＝1.52    νｄ13＝64.2
ｒ23＝∞
ｄ23＝10.0
【００７７】
円錐係数（ε）および非球面係数（Ａ，Ｂ，Ｃ，Ｄ，Ｅ）
（第１４面）
ε＝1，Ａ＝0，
Ｂ＝-6.78×10-5，  Ｃ＝-5.80×10-6，
Ｄ＝3.46×10-7，  Ｅ＝-1.05×10-9
（第１５面）
ε＝1，Ａ＝0，
Ｂ＝1.31×10-4，  Ｃ＝-5.70×10-6，
Ｄ＝5.02×10-7，  Ｅ＝-3.33×10-9
（第１９面）
ε＝1，Ａ＝0，
Ｂ＝-7.21×10-5，  Ｃ＝1.57×10-6，
Ｄ＝-8.79×10-8，  Ｅ＝1.82×10-9
【００７８】
また、図２は、実施例１にかかるズームレンズの広角端における収差図である。図３は、実施例１にかかるズームレンズの中間端における収差図である。図４は、実施例１にかかるズームレンズの望遠端における収差図である。
【００７９】
（実施例２）
図５は、この発明の実施例２にかかるズームレンズの構成を示す光軸に沿う断面図である。このズームレンズは、図示しない物体側から順に、正の屈折力を有する第１レンズ群２１０、負の屈折力を有する第２レンズ群２２０、正の屈折力を有する第３レンズ群２３０、および正の屈折力を有する第４レンズ群２４０が配置されて構成される。また、第２レンズ群２２０と第３レンズ群２３０の間には絞り２５０が配置されている。第４レンズ群２４０と像面２６０との間には、カバーガラス２７０が配置されている。なお、このカバーガラス２７０は必須のものではなく、省略も可能である。
【００８０】
第１レンズ群２１０は、前記物体側から順に、負レンズ２１１、正レンズ２１２、および正レンズ２１３が配置されて構成される。第２レンズ群２２０は、前記物体側から順に、負レンズ２２１、負レンズ２２２、および正レンズ２２３が配置されて構成される。第３レンズ群２３０は、前記物体側から順に、正レンズ２３１、正レンズ２３２、および負レンズ２３３が配置されて構成される。正レンズ２３１の両面（第１３面、第１４面）と、負レンズ２３３の像面２６０側面（第１８面）には、非球面が形成されている。第４レンズ群２４０は、前記物体側から順に、正レンズ２４１、負レンズ２４２が配置されて構成される。
【００８１】
この実施例２にかかるズームレンズは、上記のように４群１１枚のコンパクトなレンズ構成となっている。したがって、実施例１と比較して、レンズが１枚少ない分だけ、製造コストが低減されている。また、温度変化の影響を受けにくい位置に配置されるレンズは、製造コストの低減を図るため、プラスチック材で成型するとよい。たとえば、像面２６０に近い第３レンズ群２３０や第４レンズ群２４０を構成する各レンズがそれに該当する。
【００８２】
このズームレンズでは、第２レンズ群２２０を光軸に沿う方向に移動させることで変倍を行う。具体的には、第１レンズ群２１０と前記第２レンズ群２２０との間隔が増大するように、第２レンズ群２２０を像面２６０側へ移動させることによって、広角端から望遠端への変倍を行う。また、このズームレンズでは、第４レンズ群２４０を光軸に沿う方向に移動させることによって、フォーカシングを行う。具体的には、広角端から望遠端への変倍に連動させ、第４レンズ群２４０を一旦前記物体側へ移動させた後、像面２６０側へ移動させることによってフォーカシングを行う。
【００８３】
以下、実施例２にかかるズームレンズに関する各種数値データを示す。
【００８４】
実施例２のズームレンズの全長（ＯＶＬ）＝78.42
実施例２のズームレンズ（カバーガラス２７０を含む）の全長（ＯＶＬ’）＝78.8
実施例２のズームレンズ全系の広角端における焦点距離（ｆｗ）＝6.5
実施例２のズームレンズ全系の望遠端における焦点距離（ｆｔ）＝61.1
Ｆナンバ＝3.3
第１レンズ群２１０の焦点距離（ｆ１）＝42.9
第２レンズ群２２０の焦点距離（ｆ２）＝-8.9
第３レンズ群２３０の焦点距離（ｆ３）＝23.7
第４レンズ群２４０の焦点距離（ｆ４）＝20.0
【００８５】
ｒ1＝48.60
ｄ1＝1.15    ｎｄ1＝1.91    νｄ1＝31.3
ｒ2＝26.64
ｄ2＝5.26    ｎｄ2＝1.49    νｄ2＝70.44
ｒ3＝-605.28
ｄ3＝0.2
ｒ4＝25.27
ｄ4＝3.5    ｎｄ3＝1.62    νｄ3＝63.39
ｒ5＝116.60
ｄ5＝0.8(広角端)〜16.13(中間端)〜26.25（望遠端）
ｒ6＝62.95
ｄ6＝0.6    ｎｄ4＝1.83    νｄ4＝42.72
ｒ7＝7.19
ｄ7＝3.0
ｒ8＝-26.91
ｄ8＝0.6    ｎｄ5＝1.62    νｄ5＝63.39
ｒ9＝18.15
ｄ9＝0.8
ｒ10＝13.83
ｄ10＝2.10    ｎｄ6＝1.92    νｄ6＝20.88
ｒ11＝43.60
ｄ11＝27.95(広角端)〜12.62(中間端)〜2.50（望遠端）
ｒ12＝∞（絞り）
ｄ12＝1.65
ｒ13＝12.75（非球面）
ｄ13＝1.95    ｎｄ7＝1.58    νｄ7＝59.46
ｒ14＝-29.74（非球面）
ｄ14＝0.15
ｒ15＝8.02
ｄ15＝2.89    ｎｄ8＝1.49    νｄ8＝81.61
ｒ16＝-140.90
ｄ16＝0.6    ｎｄ9＝1.88    νｄ9＝40.8
ｒ17＝7.47
ｄ17＝8.74(広角端) 〜4.25(中間端)〜6.84（望遠端）
ｒ18＝20.01（非球面）
ｄ18＝3.69    ｎｄ10＝1.58    νｄ10＝59.46
ｒ19＝-7.43
ｄ19＝0.6    ｎｄ11＝1.90    νｄ11＝31.3
ｒ20＝-13.84
ｄ20＝6.94(広角端) 〜11.43(中間端)〜8.85（望遠端）
ｒ21＝∞
ｄ21＝1.0    ｎｄ13＝1.51    νｄ13＝64.2
ｒ22＝∞
ｄ22＝4.89
【００８６】
円錐係数（ε）および非球面係数（Ａ，Ｂ，Ｃ，Ｄ，Ｅ）
（第１３面）
ε＝1，Ａ＝0，
Ｂ＝6.51×10-8，  Ｃ＝-3.41×10-6，
Ｄ＝3.76×10-7，  Ｅ＝-1.63×10-8
（第１４面）
ε＝1，Ａ＝0，
Ｂ＝7.16×10-5，  Ｃ＝-4.72×10-6，
Ｄ＝-5.33×10-7，  Ｅ＝-2.25×10-8
（第１８面）
ε＝1，Ａ＝0，
Ｂ＝-1.14×10-6，  Ｃ＝3.48×10-6，
Ｄ＝-1.61×10-7，  Ｅ＝3.79×10-9
【００８７】
また、図６は、実施例２にかかるズームレンズの広角端における収差図である。図７は、実施例２にかかるズームレンズの中間端における収差図である。図８は、実施例２にかかるズームレンズの望遠端における収差図である。
【００８８】
なお、上記数値データにおいて、ｒ1，ｒ2，・・・・は各レンズ、絞り面などの曲率半径、ｄ1，ｄ2，・・・・は各レンズ、絞りなどの肉厚またはそれらの面間隔、ｎｄ1，ｎｄ2，・・・・は各レンズなどのｄ線の屈折率、νｄ1，νｄ2，・・・・は各レンズなどのアッベ数を示している。
【００８９】
また、上記各非球面形状は、光軸方向にＸ軸、光軸と垂直方向にＨ軸をとり、光の進行方向を正とするとき、以下に示す式により表される。
【００９０】
【数１】
2007065364.tif 000003
【００９１】
ただし、ｒは近軸曲率半径、εは円錐係数、Ａ，Ｂ，Ｃ，Ｄ，Ｅはそれぞれ２次，４次，６次，８次，１０次の非球面係数である。
【００９２】
以上説明したように、この実施例のズームレンズは、上記条件式を満足することで、８倍程度以上の高変倍比を備えながらも、構成が簡易でコンパクトなものになる。さらに、諸収差の発生が抑制できる高性能なズームレンズになる。これは、特に、近年主流となった画素数の多い撮像素子を備えたビデオカメラやデジタルカメラなどに用いる場合に生じるシェーディングや色ずれの防止に優れた効果が期待できる。
【００９３】
また、この実施例のズームレンズは、非球面が形成されたレンズを含んで構成されているため、少ないレンズ枚数で、諸収差を良好に補正することができる。
【００９４】
また、温度変化の影響を受けにくい位置に配置される第３レンズ群や第４レンズ群を構成する各レンズは、プラスチック材で成型されているため、製造コストの低減を図ることができる。
【産業上の利用可能性】
【００９５】
以上のように、この発明のズームレンズは、コンパクトなデジタルカメラやビデオカメラなどに有用であり、特に、小型で高い光学性能が要求される場合に最適である。
【図面の簡単な説明】
【００９６】
【図１】この発明の実施例１にかかるズームレンズの構成を示す光軸に沿う断面図である。
【図２】実施例１にかかるズームレンズの広角端における収差図である。
【図３】実施例１にかかるズームレンズの中間端における収差図である。
【図４】実施例１にかかるズームレンズの望遠端における収差図である。
【図５】この発明の実施例２にかかるズームレンズの構成を示す光軸に沿う断面図である。
【図６】実施例２にかかるズームレンズの広角端における収差図である。
【図７】実施例２にかかるズームレンズの中間端における収差図である。
【図８】実施例２にかかるズームレンズの望遠端における収差図である。
【符号の説明】
【００９７】
１１０，２１０  第１レンズ群
１２０，２２０  第２レンズ群
１３０，２３０  第３レンズ群
１４０，２４０  第４レンズ群
１５０，２５０  絞り
１６０，２６０  像面
１７０，２７０  カバーガラス
１１１，１２１，１２２，１２４，１３３，１４２，２１１，２２１，２２２，２３３，２４２  負レンズ
１１２，１１３，１２３，１３１，１３２，１４１，２１２，２１３，２２３，２３１，２３２，２４１  正レンズ
【図１】
2007065364.tif 000004
【図２】
2007065364.tif 000005
【図３】
2007065364.tif 000006
【図４】
2007065364.tif 000007
【図５】
2007065364.tif 000008
【図６】
2007065364.tif 000009
【図７】
2007065364.tif 000010
【図８】
2007065364.tif 000011